【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
コンピューティングデバイスのプロセッサによって、外科手技の少なくとも一連のビデオフレームを含む外科用ビデオを受信することと、
第１の訓練された機械学習（「ＭＬ」）技術を使用して、前記プロセッサによって、前記外科用ビデオで実行される前記外科手技のタイプを認識することと、
前記外科手技の前記タイプを認識した後に、第２の訓練されたＭＬ技術を使用して、前記プロセッサによって、前記外科用ビデオのうちの１つ以上のステップを認識することと、
前記認識されたステップに対応する前記外科用ビデオの１つ以上のビデオフレームを識別することと、
前記１つ以上のビデオフレームの識別に応答して、前記外科用ビデオの前記１つ以上のステップおよび前記１つ以上のビデオフレームに基づいて１つ以上のブックマークを生成することと、
前記プロセッサによって、前記１つ以上のブックマークを前記１つ以上のビデオフレームのそれぞれと関連付けることと、
前記プロセッサによって、前記１つ以上のブックマークを保存することと、を含む、方法。
【請求項２】
前記プロセッサによって、マイクロフォンから音声情報を受信することと、
前記音声情報に基づいて、前記ビデオフレームの前記識別を決定することと、をさらに含む、請求項１に記載の方法。
【請求項３】
会話認識技術を使用して、前記プロセッサによって、前記音声情報から１つ以上の発話された単語を認識することと、
前記１つ以上の発話された単語に基づいて、前記ビデオフレームの前記識別を決定することと、をさらに含む、請求項２に記載の方法。
【請求項４】
前記音声情報が、外科手技中に受信され、前記ビデオフレームの前記識別を決定することが、前記外科手技中に実質的にリアルタイムで行われる、請求項３に記載の方法。
【請求項５】
前記プロセッサによって、入力デバイスから入力情報を受信することと、
前記プロセッサによって、前記入力情報に基づいて、ジェスチャを検出することと、
前記ジェスチャに基づいて、前記ビデオフレームの前記識別を決定することと、をさらに含む、請求項１に記載の方法。
【請求項６】
前記入力デバイスが、外科用ロボットの外科用ツールのためのコントロールデバイスを含む、請求項５に記載の方法。
【請求項７】
前記入力デバイスが、タッチセンシティブ入力デバイスを含む、請求項５に記載の方法。
【請求項８】
前記プロセッサによって、グラフィックユーザインターフェース（「ＧＵＩ」）内の外科手技の選択を受信することと、
前記プロセッサによって、前記ＧＵＩ内の前記外科手技のステップの選択を受信することと、
前記外科手技の前記選択および前記外科手技の前記ステップの前記選択の後に、前記ビデオフレームの前記識別を受信することと、をさらに含み、
前記ブックマークを生成することが、
前記プロセッサによって、前記外科手技および前記外科手技の前記ステップに基づいて、識別子を生成することと、
前記プロセッサによって、前記識別子に基づいて、メタデータを生成することと、を含み、
前記ブックマークを保存することが、前記メタデータを保存することを含む、請求項１に記載の方法。
【請求項９】
前記ブックマークを保存することが、前記外科用ビデオ内にメタデータを挿入することを含む、請求項１に記載の方法。
【請求項１０】
ブックマークを前記ビデオフレームと関連付けることが、前記ビデオフレームを識別するメタデータを生成することを含み、前記ブックマークを保存することが、前記メタデータを、前記外科用ビデオとは別個のファイルに保存することを含む、請求項１に記載の方法。
【請求項１１】
前記第１の訓練されたＭＬ技術が、前記第２の訓練されたＭＬ技術と同じ訓練されたＭＬ技術である、請求項１に記載の方法。
【請求項１２】
前記ブックマークが、第１のブックマークであり、
外科的ステップの識別を受信することと、
前記外科的ステップのサブステップまたは前記外科的ステップと関連付けられたイベントと関連付けられた第２のビデオフレームの識別を受信することと、
前記サブステップまたは前記イベントの識別を受信することと、
前記第２のビデオフレームおよび前記サブステップまたは前記イベントに基づいて、第２のブックマークを生成することと、
前記第２のブックマークを前記第１のブックマークおよび前記第２のビデオフレームと関連付けることであって、前記関連付けることが、ブックマーク階層情報を生成することと、前記第２のブックマークを前記第１のブックマークの子ブックマークとして関連付けることと、を含む、前記第２のブックマークを前記第１のブックマークおよび前記第２のビデオフレームと関連付けることと、
前記第２のブックマークおよび前記ブックマーク階層情報を保存することと、をさらに含む、請求項１に記載の方法。
【請求項１３】
前記第１のブックマークが、前記外科的ステップを識別するメタデータを含み、
前記第２のブックマークが、前記サブステップまたは前記イベントを識別するメタデータを含む、請求項１２に記載の方法。
【請求項１４】
（ｉ）前記外科用ビデオの識別、および（ｉｉ）前記ブックマークを含む、メッセージを生成することと、
前記メッセージを受信者に送信することと、をさらに含む、請求項１に記載の方法。
【請求項１５】
方法であって、
外科用ビデオおよび前記外科用ビデオに関連付けられた複数のブックマークを受信することであって、各ブックマークが、前記外科用ビデオ内の異なるビデオフレームを識別する、外科用ビデオおよび前記外科用ビデオに関連付けられた複数のブックマークを受信することと、
ユーザインタフェースから前記複数のブックマークの第１のブックマークの選択を受信することと、
前記ユーザインタフェースから前記複数のブックマークの第２のブックマークの識別を受信することと、
前記ユーザインタフェースから前記外科用ビデオの部分を抽出するための指示を受信することと、
前記外科用ビデオの前記部分を抽出することであって、前記外科用ビデオの前記部分が、前記第１のブックマークで開始し、前記第２のブックマークで終了する、前記外科用ビデオの前記部分を抽出することと、
前記外科用ビデオの前記部分を、非一時的コンピュータ可読媒体に保存することと、を含む、方法。
【請求項１６】
前記第１のブックマークの前記識別を受信することが、前記ユーザインタフェースから前記複数のブックマークのブックマークのサブセットの識別を受信することを含み、前記複数のブックマークの各ブックマークが、前記外科用ビデオの異なるビデオフレームに対応し、
前記外科用ビデオの前記部分を抽出することが、前記外科用ビデオの複数の部分を抽出することを含み、前記複数の部分の各異なる部分が、前記複数のブックマークの対応する異なるブックマークで開始し、
前記外科用ビデオの前記部分を保存することが、前記外科用ビデオの前記複数の部分の前記部分の各々を、前記非一時的コンピュータ可読媒体内の別個のファイルに保存することを含む、請求項１５に記載の方法。
【請求項１７】
前記複数の部分の各部分が、前記対応する異なるブックマークで開始し、かつ前記複数のブックマーク内の次のブックマークで終了する、請求項１６に記載の方法。
【請求項１８】
前記少なくとも１つのブックマークが各々、（ｉ）外科手技の関連付けられたステップ、（ｉｉ）前記外科手技の関連付けられたサブステップ、または（ｉｉｉ）前記外科手技の関連付けられたイベントのうちの１つを有し、
（ｉ）前記外科手技のステップ、（ｉｉ）前記外科手技のサブステップ、または（ｉｉｉ）イベントのうちの１つの選択を受信することと、
前記選択と関連付けられた１つ以上のブックマークを識別することと、
前記識別された１つ以上のブックマークに基づいて、前記外科用ビデオの前記部分を抽出することと、をさらに含む、請求項１５に記載の方法。
【請求項１９】
方法であって、
検索パラメータを含む検索コマンドを受信することであって、前記検索パラメータが、（ｉ）外科手技のステップ、（ｉｉ）前記外科手技のサブステップ、または（ｉｉｉ）前記外科手技のイベントのうちの１つを含む、検索パラメータを含む検索コマンドを受信することと、
複数の外科用ビデオのためのブックマーク情報にアクセスすることであって、前記ブックマーク情報が、前記複数のビデオの１つ以上の外科用ビデオについて、前記それぞれの外科用ビデオのための１つ以上の標準化されたブックマークを含み、前記１つ以上の標準化されたブックマークが、外科手技の関連付けられる標準化されたステップまたはサブステップを識別し、前記１つ以上の標準化されたブックマークの少なくとも１つの標準化されたブックマークが、前記それぞれの外科用ビデオのフレームを識別する、複数の外科用ビデオのためのブックマーク情報にアクセスすることと、
前記検索パラメータを使用して、複数のブックマークを識別することと、
前記検索コマンドに応答して、前記複数のブックマークのサブセットを提供することと、を含む、方法。
【請求項２０】
システムであって、
非一時的コンピュータ可読媒体と、
前記非一時的コンピュータ可読媒体と通信するプロセッサであって、前記プロセッサが、前記非一時的コンピュータ可読媒体に保存されたプロセッサ実行可能命令を実行して、
外科手技の少なくとも一連のビデオフレームを含む外科用ビデオを受信することと、
第１の訓練された機械学習（「ＭＬ」）技術を使用して、前記外科用ビデオで実行される前記外科手技のタイプを認識することと、
前記外科手技の前記タイプを認識した後に、第２の訓練されたＭＬ技術を使用して、前記外科用ビデオのうちの１つ以上のステップを認識することと、
前記認識されたステップに対応する前記外科用ビデオの１つ以上のビデオフレームを識別することと、
前記１つ以上のビデオフレームの識別に応答して、前記外科用ビデオの前記１つ以上のステップおよび前記１つ以上のビデオフレームに基づいて１つ以上のブックマークを生成することと、
前記１つ以上のブックマークを前記１つ以上のビデオフレームのそれぞれと関連付けることと、
前記ブックマークを保存することと、を行うように構成されている、プロセッサと、を含む、システム。
【請求項２１】
前記プロセッサが、前記非一時的コンピュータ可読媒体に保存されたプロセッサ実行可能命令を実行して、
マイクロフォンから音声情報を受信することと、
前記音声情報に基づいて、前記ビデオフレームの前記識別を決定することと、を行うようにさらに構成されている、請求項２０に記載のシステム。
【請求項２２】
前記プロセッサが、前記非一時的コンピュータ可読媒体に保存されたプロセッサ実行可能命令を実行して、
会話認識技術を使用して、前記プロセッサによって、前記音声情報から１つ以上の発話された単語を認識することと、
前記１つ以上の発話された単語に基づいて、前記ビデオフレームの前記識別を決定することと、を行うようにさらに構成されている、請求項２１に記載のシステム。
【請求項２３】
外科用ロボットシステムおよび前記マイクロフォンをさらに含み、前記プロセッサが、前記非一時的コンピュータ可読媒体に保存されたプロセッサ実行可能命令を実行して、外科手技中に前記音声情報を受信することと、前記外科手技中に実質的にリアルタイムで行われる前記ビデオフレームの前記識別を決定することと、を行うようにさらに構成されている、請求項２２に記載のシステム。
【請求項２４】
前記プロセッサが、前記非一時的コンピュータ可読媒体に保存されたプロセッサ実行可能命令を実行して、
入力デバイスから入力情報を受信することと、
前記入力情報に基づいて、ジェスチャを検出することと、
前記ジェスチャに基づいて、前記ビデオフレームの前記識別を決定することと、を行うようにさらに構成されている、請求項２０に記載のシステム。
【請求項２５】
前記入力デバイスが、外科用ロボットの外科用ツールのためのコントロールデバイスを含む、請求項２４に記載のシステム。
【請求項２６】
前記入力デバイスが、タッチセンシティブ入力デバイスを含む、請求項２４に記載のシステム。
【請求項２７】
前記プロセッサが、前記非一時的コンピュータ可読媒体に保存されたプロセッサ実行可能命令を実行して、
グラフィックユーザインターフェース（「ＧＵＩ」）内の外科手技の選択を受信することと、
前記ＧＵＩ内の前記外科手技のステップの選択を受信することと、
前記外科手技の前記選択および前記外科手技の前記ステップの前記選択の後に、前記ビデオフレームの前記識別を受信することと、
前記外科手技および前記外科手技の前記ステップに基づいて、識別子を生成することと、
前記識別子に基づいて、メタデータを生成することと、
前記メタデータを保存することと、を行うようにさらに構成されている、請求項２０に記載のシステム。
【請求項２８】
前記プロセッサが、前記非一時的コンピュータ可読媒体に保存されたプロセッサ実行可能命令を実行して、前記外科用ビデオ内にメタデータを挿入するようにさらに構成されている、請求項２０に記載のシステム。
【請求項２９】
前記プロセッサが、前記非一時的コンピュータ可読媒体に保存されたプロセッサ実行可能命令を実行して、前記ビデオフレームを識別するメタデータを生成することと、前記メタデータを、前記外科用ビデオとは別個のファイルに保存することと、を行うようにさらに構成されている、請求項２０に記載のシステム。
【請求項３０】
前記第１の訓練されたＭＬ技術が、前記第２の訓練されたＭＬ技術と同じ、訓練されたＭＬ技術である、請求項２０に記載のシステム。
【請求項３１】
前記ブックマークが、第１のブックマークであり、前記プロセッサが、前記非一時的コンピュータ可読媒体に保存されたプロセッサ実行可能命令を実行して、
外科的ステップの識別を受信することと、
前記外科的ステップのサブステップまたは前記外科的ステップと関連付けられたイベントと関連付けられた第２のビデオフレームの識別を受信することと、
前記サブステップまたは前記イベントの識別を受信することと、
前記第２のビデオフレームおよび前記サブステップまたは前記イベントに基づいて、第２のブックマークを生成することと、
前記第２のブックマークを、前記第１のブックマークおよび前記第２のビデオフレームと関連付けることと、
ブックマーク階層情報を生成し、かつ前記第２のブックマークを、前記第１のブックマークの子ブックマークとして関連付けることと、
前記第２のブックマークおよび前記ブックマーク階層情報を、前記非一時的コンピュータ可読媒体に保存することと、を行うようにさらに構成されている、請求項２０に記載のシステム。
【請求項３２】
前記第１のブックマークが、前記外科的ステップを識別するメタデータを含み、
前記第２のブックマークが、前記サブステップまたは前記イベントを識別するメタデータを含む、請求項３１に記載のシステム。
【請求項３３】
前記プロセッサが、前記非一時的コンピュータ可読媒体に保存されたプロセッサ実行可能命令を実行して、
（ｉ）前記外科用ビデオの識別、および（ｉｉ）前記ブックマークを含む、メッセージを生成することと、
前記メッセージを受信者に送信することと、を行うようにさらに構成されている、請求項２０に記載のシステム。
【請求項３４】
システムであって、
非一時的コンピュータ可読媒体と、
前記非一時的コンピュータ可読媒体と通信するプロセッサであって、前記非一時的コンピュータ可読媒体に保存されたプロセッサ実行可能命令を実行して、
外科用ビデオ、および前記外科用ビデオ内の異なるビデオフレームを識別する複数のブックマークを受信することと、
ユーザインタフェースから前記複数のブックマークのうちの第１のブックマークの選択を受信することと、
前記ユーザインタフェースから前記複数のブックマークのうちの第２のブックマークの識別を受信することと、
前記ユーザインタフェースから前記外科用ビデオの部分を抽出するためのコマンドを受信することと、
前記外科用ビデオの前記部分を抽出することであって、前記外科用ビデオの前記部分が、前記第１のブックマークで開始し、前記第２のブックマークで終了する、前記外科用ビデオの前記部分を抽出することと、
前記外科用ビデオの前記部分を、非一時的コンピュータ可読媒体に保存することと、を行うように構成されている、プロセッサと、を含む、システム。
【請求項３５】
前記プロセッサが、前記非一時的コンピュータ可読媒体に保存されたプロセッサ実行可能命令を実行して、
前記複数のブックマークのうちの第２のブックマークの識別を受信するようにさらに構成されており、
前記外科用ビデオの前記部分が、前記第２のブックマークで終了する、請求項３４に記載のシステム。
【請求項３６】
前記プロセッサが、前記非一時的コンピュータ可読媒体に保存されたプロセッサ実行可能命令を実行して、
前記複数のブックマークのブックマークのサブセットの識別を受信することであって、前記複数のブックマークの各ブックマークが、前記外科用ビデオの異なるビデオフレームに対応する、前記複数のブックマークのブックマークのサブセットの識別を受信することと、
前記外科用ビデオの複数の部分を抽出することであって、前記複数の部分の各異なる部分が、前記複数のブックマークの対応する異なるブックマークで開始する、前記外科用ビデオの複数の部分を抽出することと、
前記外科用ビデオの前記複数の部分の前記部分の各々を、前記非一時的コンピュータ可読媒体内の別個のファイルに保存することと、を行うようにさらに構成されている、請求項３４に記載のシステム。
【請求項３７】
前記複数の部分の各部分が、前記対応する異なるブックマークで開始し、かつ前記複数のブックマーク内の次のブックマークで終了する、請求項３６に記載のシステム。
【請求項３８】
前記複数のブックマークが各々、（ｉ）外科手技の関連付けられたステップ、（ｉｉ）前記外科手技の関連付けられたサブステップ、または（ｉｉｉ）前記外科手技の関連付けられたイベントのうちの１つを有し、前記プロセッサが、前記非一時的コンピュータ可読媒体に保存されたプロセッサ実行可能命令を実行して、
（ｉ）前記外科手技のステップ、（ｉｉ）前記外科手技のサブステップ、または（ｉｉｉ）イベントのうちの１つの選択を受信することと、
前記選択と関連付けられた１つ以上のブックマークを識別することと、
前記識別された１つ以上のブックマークに基づいて、前記外科用ビデオの前記部分を抽出することと、を行うようにさらに構成されている、請求項３４に記載のシステム。
【請求項３９】
システムであって、
非一時的コンピュータ可読媒体と、
前記非一時的コンピュータ可読媒体と通信するプロセッサであって、プロセッサ実行可能命令を実行して、
検索パラメータを含む検索コマンドを受信することであって、前記検索パラメータが、（ｉ）外科手技のステップ、（ｉｉ）前記外科手技のサブステップ、または（ｉｉｉ）前記外科手技のイベントのうちの１つを含む、検索パラメータを含む検索コマンドを受信することと、
複数の外科用ビデオのためのブックマーク情報にアクセスすることであって、前記ブックマーク情報が、前記複数のビデオの１つ以上の外科用ビデオについて、前記それぞれの外科用ビデオのための１つ以上の標準化されたブックマークを含み、前記１つ以上の標準化されたブックマークが、外科手技の関連付けられる標準化されたステップまたはサブステップを識別し、前記１つ以上の標準化されたブックマークの少なくとも１つの標準化されたブックマークが、前記それぞれの外科用ビデオのフレームを識別する、複数の外科用ビデオのためのブックマーク情報にアクセスすることと、
前記検索パラメータを使用して、複数のブックマークを識別することと、
前記検索コマンドに応答して、前記複数のブックマークのサブセットを提供することと、を行うように構成されている、プロセッサと、を含む、システム。
【請求項４０】
プロセッサに、
第１の訓練された機械学習（「ＭＬ」）技術を使用して、外科用ビデオで実行される外科手技のタイプを認識することと、
前記外科手技の前記タイプを認識した後に、第２の訓練されたＭＬ技術を使用して、前記外科用ビデオのうちの１つ以上のステップを認識することと、
前記認識されたステップに対応する前記外科用ビデオの１つ以上のビデオフレームを識別することと、
前記１つ以上のビデオフレームの識別に応答して、前記外科手技の前記１つ以上のステップおよび前記１つ以上のビデオフレームに基づいて、１つ以上のブックマークを生成することと、
前記１つ以上のブックマークを前記１つ以上のビデオフレームのそれぞれと関連付けることと、
前記ブックマークを保存することと、を行わせるように構成されている、プロセッサ実行可能命令を含む、非一時的コンピュータ可読媒体。
【請求項４１】
前記プロセッサが、前記非一時的コンピュータ可読媒体に保存されたプロセッサ実行可能命令を実行して、
マイクロフォンから音声情報を受信することと、
前記音声情報に基づいて、前記ビデオフレームの前記識別を決定することと、を行うようにさらに構成されている、請求項４０に記載の非一時的コンピュータ可読媒体。
【請求項４２】
前記プロセッサが、前記非一時的コンピュータ可読媒体に保存されたプロセッサ実行可能命令を実行して、
会話認識技術を使用して、前記プロセッサによって、前記音声情報から１つ以上の発話された単語を認識することと、
前記１つ以上の発話された単語に基づいて、前記ビデオフレームの前記識別を決定することと、を行うようにさらに構成されている、請求項４１に記載の非一時的コンピュータ可読媒体。
【請求項４３】
外科用ロボットシステムおよび前記マイクロフォンをさらに含み、前記プロセッサが、前記非一時的コンピュータ可読媒体に保存されたプロセッサ実行可能命令を実行して、外科手技中に前記音声情報を受信することと、前記外科手技中に実質的にリアルタイムで行われる前記ビデオフレームの前記識別を決定することと、を行うようにさらに構成されている、請求項４２に記載の非一時的コンピュータ可読媒体。
【請求項４４】
前記プロセッサが、前記非一時的コンピュータ可読媒体に保存されたプロセッサ実行可能命令を実行して、
入力デバイスから入力情報を受信することと、
前記入力情報に基づいて、ジェスチャを検出することと、
前記ジェスチャに基づいて、前記ビデオフレームの前記識別を決定することと、を行うようにさらに構成されている、請求項４０に記載の非一時的コンピュータ可読媒体。
【請求項４５】
前記入力デバイスが、外科用ロボットの外科用ツールのためのコントロールデバイスを含む、請求項４４に記載の非一時的コンピュータ可読媒体。
【請求項４６】
前記入力デバイスが、タッチセンシティブ入力デバイスを含む、請求項４４に記載の非一時的コンピュータ可読媒体。
【請求項４７】
前記プロセッサが、前記非一時的コンピュータ可読媒体に保存されたプロセッサ実行可能命令を実行して、
グラフィックユーザインターフェース（「ＧＵＩ」）内の外科手技の選択を受信することと、
前記ＧＵＩ内の前記外科手技のステップの選択を受信することと、
前記外科手技の前記選択および前記外科手技の前記ステップの前記選択の後に、前記ビデオフレームの前記識別を受信することと、
前記外科手技および前記外科手技の前記ステップに基づいて、識別子を生成することと、
前記識別子に基づいて、メタデータを生成することと、
前記メタデータを保存することと、を行うようにさらに構成されている、請求項４３に記載の非一時的コンピュータ可読媒体。
【請求項４８】
前記プロセッサが、前記非一時的コンピュータ可読媒体に保存されたプロセッサ実行可能命令を実行して、前記外科用ビデオ内にメタデータを挿入するようにさらに構成されている、請求項４０に記載の非一時的コンピュータ可読媒体。
【請求項４９】
前記プロセッサが、前記非一時的コンピュータ可読媒体に保存されたプロセッサ実行可能命令を実行して、前記ビデオフレームを識別するメタデータを生成することと、前記メタデータを、前記外科用ビデオとは別個のファイルに保存することと、を行うようにさらに構成されている、請求項４０に記載の非一時的コンピュータ可読媒体。
【請求項５０】
前記第１の訓練されたＭＬ技術が、前記第２の訓練されたＭＬ技術と同じ、訓練されたＭＬ技術である、請求項４０に記載の非一時的コンピュータ可読媒体。
【請求項５１】
前記ブックマークが、第１のブックマークであり、前記プロセッサが、前記非一時的コンピュータ可読媒体に保存されたプロセッサ実行可能命令を実行して、
外科的ステップの識別を受信することと、
前記外科的ステップのサブステップまたは前記外科的ステップと関連付けられたイベントと関連付けられた第２のビデオフレームの識別を受信することと、
前記サブステップまたは前記イベントの識別を受信することと、
前記第２のビデオフレームおよび前記サブステップまたは前記イベントに基づいて、第２のブックマークを生成することと、
前記第２のブックマークを、前記第１のブックマークおよび前記第２のビデオフレームと関連付けることと、
ブックマーク階層情報を生成し、かつ前記第２のブックマークを、前記第１のブックマークの子ブックマークとして関連付けることと、
前記第２のブックマークおよび前記ブックマーク階層情報を、前記非一時的コンピュータ可読媒体に保存することと、を行うようにさらに構成されている、請求項４０に記載の非一時的コンピュータ可読媒体。
【請求項５２】
前記第１のブックマークが、前記外科的ステップを識別するメタデータを含み、
前記第２のブックマークが、前記サブステップまたは前記イベントを識別するメタデータを含む、請求項５１に記載の非一時的コンピュータ可読媒体。
【請求項５３】
前記プロセッサが、前記非一時的コンピュータ可読媒体に保存されたプロセッサ実行可能命令を実行して、
（ｉ）前記外科用ビデオの識別、および（ｉｉ）前記ブックマークを含む、メッセージを生成することと、
前記メッセージを受信者に送信することと、を行うようにさらに構成されている、請求項４０に記載の非一時的コンピュータ可読媒体。
【請求項５４】
プロセッサに、
外科用ビデオ、および前記外科用ビデオ内の異なるビデオフレームを識別する複数のブックマークを受信することと、
ユーザインタフェースから前記複数のブックマークのうちの第１のブックマークの選択を受信することと、
前記ユーザインタフェースから前記複数のブックマークの第２のブックマークの識別を受信することと、
前記ユーザインタフェースから前記外科用ビデオの部分を抽出するためのコマンドを受信することと、
前記外科用ビデオの前記部分を抽出することであって、前記外科用ビデオの前記部分が、前記第１のブックマークで開始し、前記第２のブックマークで終了する、前記外科用ビデオの前記部分を抽出することと、
前記外科用ビデオの前記部分を、非一時的コンピュータ可読媒体に保存することと、を行わせるように構成されている、プロセッサ実行可能命令を含む、非一時的コンピュータ可読媒体。
【請求項５５】
前記プロセッサが、前記非一時的コンピュータ可読媒体に保存されたプロセッサ実行可能命令を実行して、
前記複数のブックマークのブックマークのサブセットの識別を受信することであって、前記複数のブックマークの各ブックマークが、前記外科用ビデオの異なるビデオフレームに対応する、前記複数のブックマークのブックマークのサブセットの識別を受信することと、
前記外科用ビデオの複数の部分を抽出することであって、前記複数の部分の各異なる部分が、前記複数のブックマークの対応する異なるブックマークで開始する、前記外科用ビデオの複数の部分を抽出することと、
前記外科用ビデオの前記複数の部分の前記部分の各々を、前記非一時的コンピュータ可読媒体内の別個のファイルに保存することと、を行うようにさらに構成されている、請求項５４に記載の非一時的コンピュータ可読媒体。
【請求項５６】
前記複数の部分の各部分が、前記対応する異なるブックマークで開始し、かつ前記複数のブックマーク内の次のブックマークで終了する、請求項５５に記載の非一時的コンピュータ可読媒体。
【請求項５７】
前記複数のブックマークが各々、（ｉ）外科手技の関連付けられたステップ、（ｉｉ）前記外科手技の関連付けられたサブステップ、または（ｉｉｉ）前記外科手技の関連付けられたイベントのうちの１つを有し、前記プロセッサが、前記非一時的コンピュータ可読媒体に保存されたプロセッサ実行可能命令を実行して、
（ｉ）前記外科手技のステップ、（ｉｉ）前記外科手技のサブステップ、または（ｉｉｉ）イベントのうちの１つの選択を受信することと、
前記選択と関連付けられた１つ以上のブックマークを識別することと、
前記識別された１つ以上のブックマークに基づいて、前記外科用ビデオの前記部分を抽出することと、を行うようにさらに構成されている、請求項５４に記載の非一時的コンピュータ可読媒体。
【請求項５８】
プロセッサに、
検索パラメータを含む検索コマンドを受信することであって、前記検索パラメータが、（ｉ）外科手技のステップ、（ｉｉ）前記外科手技のサブステップ、または（ｉｉｉ）前記外科手技のイベントのうちの１つを含む、検索パラメータを含む検索コマンドを受信することと、
複数の外科用ビデオのためのブックマーク情報にアクセスすることであって、前記ブックマーク情報が、前記複数のビデオの１つ以上の外科用ビデオについて、前記それぞれの外科用ビデオのための１つ以上の標準化されたブックマークを含み、前記１つ以上の標準化されたブックマークが、外科手技の関連付けられる標準化されたステップまたはサブステップを識別し、前記１つ以上の標準化されたブックマークの少なくとも１つの標準化されたブックマークが、前記それぞれの外科用ビデオのフレームを識別する、複数の外科用ビデオのためのブックマーク情報にアクセスすることと、
前記検索パラメータを使用して、複数のブックマークを識別することと、
前記検索コマンドに応答して、前記複数のブックマークのサブセットを提供することと、を行わせるように構成されている、プロセッサ実行可能命令を含む、非一時的コンピュータ可読媒体。